(57)【要約】【課題】通信機能を有する複数の電子機器間でデータを送信するデータ伝送システムにおいて、電子機器の消費電力を低減化すると共に、電子機器間でのデータ送信を確実に行うことができるようにすること。【解決手段】通信待機状態において、情報処理装置（ＰＣ）は所定周期Ｘ秒で同期信号（ｉｄｌｅ）を送信しており、生体情報処理装置は前記同期信号に同期するタイミングの受信期間を有しており、情報処理装置と生体情報処理装置は同期している。この状態で、情報処理装置がデータ要求信号（ＡＳＫ）を送信すると、生体情報処理装置が所定長に分割したデータｌｏｇ１〜ｌｏｇ３を送信する。データ送信が完了すると、再び同期をとった通信待機状態に戻る。【選択図】  図４
2004229069.tif 000002
【特許請求の範囲】
【請求項１】
通信機能を有する第１、第２の電子機器間でデータを伝送するデータ伝送システムにおいて、
前記第１の電子機器は所定周期で同期信号を送信し、前記第２の電子機器は、前記各同期信号に同期する受信期間を有し、前記各受信期間に前記同期信号を受信することを特徴とするデータ伝送システム。
【請求項２】
前記第２の電子機器は、信号を無線で送受信する通信手段と、少なくとも識別情報を記憶する記憶手段とを有し、前記通信手段は、前記記憶手段に記憶した識別情報を含む前記同期信号を受信したとき、前記同期信号に同期するタイミングの受信期間を自身に設定することを特徴とする請求項１記載のデータ伝送システム。
【請求項３】
前記通信手段は、時間的に連続するスキャン動作を行うことによって前記同期信号を受信したとき、前記同期信号に同期するタイミングの受信期間を自身に設定することを特徴とする請求項２記載のデータ伝送システム。
【請求項４】
前記通信手段は、所定周期で複数回スキャン動作を行うことによって前記同期信号を受信したとき、前記同期信号に同期するタイミングの受信期間を自身に設定することを特徴とする請求項２記載のデータ伝送システム。
【請求項５】
前記第１の電子機器は、前記同期信号に同期するタイミングでデータ要求信号を送信し、
前記第２の電子機器の前記記憶手段には送信用データが記憶されて成り、前記通信手段は、前記受信期間において受信したデータ要求信号に応答して、前記記憶手段に記憶したデータを送信することを特徴とする請求項２乃至４のいずれか一に記載のデータ伝送システム。
【請求項６】
前記第１の電子機器は、前記第２の電子機器からデータ送信完了信号を受信して確認信号を送信した後に、前記所定周期で前記同期信号を送信し、
前記第２の電子機器の通信手段は、データ送信完了後に前記データ送信完了信号を送信し、前記確認信号を受信した後に、前記同期信号に同期する前記受信期間を自身に設定することを特徴とする請求項５記載のデータ伝送システム。
【請求項７】
信号を無線で送受信する通信手段と、少なくとも識別情報を記憶する記憶手段とを有し、前記通信手段は、前記記憶手段に記憶した識別情報を含む同期信号を受信したとき、前記同期信号に同期するタイミングの受信期間を自身に設定することを特徴とする身体装着型通信装置。
【請求項８】
前記通信手段は、時間的に連続するスキャン動作を行うことによって前記同期信号を受信したとき、前記同期信号に同期するタイミングの受信期間を自身に設定することを特徴とする請求項７記載の身体装着型通信装置。
【請求項９】
前記通信手段は、所定周期で複数回スキャン動作を行うことによって前記同期信号を受信したとき、前記同期信号に同期するタイミングの受信期間を自身に設定することを特徴とする請求項７記載の身体装着型通信装置。
【請求項１０】
前記記憶手段には送信用データが記憶されて成り、前記通信手段は、前記受信期間において受信したデータ要求信号に応答して、前記記憶手段に記憶したデータを送信することを特徴とする請求項７乃至９のいずれか一に記載の身体装着型送信装置。
【請求項１１】
前記通信手段は、データ送信完了後にデータ送信完了信号を送信し、確認信号を受信した後に、前記同期信号に同期する前記受信期間を自身に設定することを特徴とする請求項１０記載の身体装着型送信装置。
【発明の詳細な説明】
【０００１】
【発明の属する技術分野】
本発明は、通信機能を有する複数の電子機器間でデータの伝送を行うデータ伝送システム及び前記データ伝送システムに適した身体装着型通信装置に関する。
【０００２】
【従来の技術】
従来から、通信機能を有する複数の電子機器間でデータを送信するデータ伝送システムが種々の分野で利用されている（例えば、特許文献１、特許文献２参照）。
データとして心拍数等の人の生体情報を無線送信するデータ伝送システムにおいては、身体に装着された身体装着型通信装置（親機）は、身体に装着された複数のセンサ装置（子機）から脈拍等の生体データを受信して収集し、該収集したデータを、コンピュータによって構成された情報処理装置に送信するように構成している。
【０００３】
身体装着型通信装置は、データを情報処理装置に送信する場合、身体装着型通信装置を特定のリンクモードにセットすることによって情報処理装置とのリンクを確立し、データを送信するようにしている。これにより、身体装着型通信装置から情報処理装置にデータをアップロードし、情報処理装置によってデータ解析等の種々の処理を行うことが可能になる。
【０００４】
図５は、生体情報を無線送信する前記従来のデータ伝送システムにおいて、身体に装着された身体装着型通信装置から情報処理装置にデータを送信する際の動作を示すタイミング図である。
図５において、身体装着型通信装置である生体情報処理装置は、コンピュータによって構成された情報処理装置（ＰＣ）にデータを送信する場合、時刻Ｔ５１において、情報処理装置からメッセージを検出するためのスキャンを開始する。
【０００５】
時刻Ｔ５２において、情報処理装置がデータ要求信号ＡＳＫを送信すると、生体情報処理装置は前記データ要求信号ＡＳＫを受信して、時刻Ｔ５３において、生体情報処理装置のメモリに記憶したデータの中の所定長のデータＬｏｇ１を情報処理装置に送信する。情報処理装置は、前記データＬｏｇ１を受信して、確認信号ＡＣＫ１を送信する。
生体情報処理装置は前記確認信号ＡＣＫ１を受信して、前記前記データに続く所定長のデータＬｏｇ２を情報処理装置に送信する。情報処理装置は、前記データＬｏｇ１を受信して、確認信号ＡＣＫ１を送信する。
【０００６】
生体情報処理装置及び情報処理装置は前記動作を繰り返し、生体情報処理装置は全てのデータの送信を完了すると、時刻Ｔ５４において、データ送信完了信号（ＤＡＴＡ  ＥＮＤ）を情報処理装置に送信する。情報処理装置は、前記データ送信完了信号（ＤＡＴＡ  ＥＮＤ）を受信して、時刻Ｔ５５において、確認信号ＡＣＫを送信してデータ受信処理を終了する。生体情報処理装置は前記確認信号ＡＣＫを受信して、情報処理装置が全てのデータを受信したと判断し、時刻Ｔ５６において、データ送信処理を終了する。以上のようにして、生体情報処理装置から情報処理装置にデータを送信することが可能になる。
【０００７】
【特許文献１】
特開平５−１９１３９１号公報
【特許文献２】
特開平１１−３３１９６１号公報
【０００８】
【発明が解決しようとする課題】
しかしながら、身体装着型通信装置から情報処理装置にデータ送信する場合、データ送信開始前に、リンクを行うためのモードに情報処理装置をセットする必要があるため作業が繁雑である。
また、身体装着型通信装置と情報処理装置との通信は情報処理装置側がマスタとなるため、身体装着型通信装置は常に情報処理装置からの通信開始トリガ（図５における要求信号ＡＳＫ）を待つ必要があり、このために受信ポートを常時開けておかなければならないため、身体装着型通信装置の消費電力が大きくなるという問題がある。
【０００９】
また、身体装着型通信装置は携帯型電子機器であるため電源として電池を使用しており、前述したように身体装着型通信装置の消費電力が大きくなると、情報処理装置とのリンクを長時間継続することができなくなる。したがって、通信が行われていない時間（アイドル時間：時刻Ｔ５１〜Ｔ５２）が長い場合、電力消費を低減するためには、情報処理装置とのリンクを一旦解除する必要がある。この場合、身体型装着装置からデータを送信したいときには既に情報処理装置とのリンクが解除されており、データを送信できない恐れがある。
【００１０】
本発明は、通信機能を有する複数の電子機器間でデータを送信するデータ伝送システムにおいて、電子機器の消費電力を低減化すると共に、電子機器間でのデータ送信を確実に行うことができるようにすることを課題としている。
また、本発明は、前記データ伝送システムに適した身体装着型通信装置を提供することを課題としている。
【００１１】
【課題を解決するための手段】
本発明によれば、通信機能を有する第１、第２の電子機器間でデータを伝送するデータ伝送システムにおいて、前記第１の電子機器は所定周期で同期信号を送信し、前記第２の電子機器は、前記各同期信号に同期する受信期間を有し、前記各受信期間に前記同期信号を受信することを特徴とするデータ伝送システムが提供される。第１の電子機器は所定周期で同期信号を送信する。第２の電子機器は、前記同期信号に同期する受信期間を有し、前記各受信期間に前記同期信号を受信する。
【００１２】
ここで、前記第２の電子機器は、信号を無線で送受信する通信手段と、少なくとも識別情報を記憶する記憶手段とを有し、前記通信手段は、前記記憶手段に記憶した識別情報を含む前記同期信号を受信したとき、前記同期信号に同期するタイミングの受信期間を自身に設定するように構成してもよい。
また、前記通信手段は、時間的に連続するスキャン動作を行うことによって前記同期信号を受信したとき、前記同期信号に同期するタイミングの受信期間を自身に設定するように構成してもよい。
また、前記通信手段は、所定周期で複数回スキャン動作を行うことによって前記同期信号を受信したとき、前記同期信号に同期するタイミングの受信期間を自身に設定するように構成してもよい。
【００１３】
また、前記第１の電子機器は、前記同期信号に同期するタイミングでデータ要求信号を送信し、前記第２の電子機器の前記記憶手段には送信用データが記憶されて成り、前記通信手段は、前記受信期間において受信したデータ要求信号に応答して、前記記憶手段に記憶したデータを送信するように構成してもよい。
また、前記第１の電子機器は、前記第２の電子機器からデータ送信完了信号を受信して確認信号を送信した後に、前記所定周期で前記同期信号を送信し、前記第２の電子機器の通信手段は、データ送信完了後に前記データ送信完了信号を送信し、前記確認信号を受信した後に、前記同期信号に同期する前記受信期間を自身に設定するように構成してもよい。
【００１４】
また、本発明によれば、信号を無線で送受信する通信手段と、少なくとも識別情報を記憶する記憶手段とを有し、前記通信手段は、前記記憶手段に記憶した識別情報を含む同期信号を受信したとき、前記同期信号に同期するタイミングの受信期間を自身に設定することを特徴とする身体装着型通信装置が提供される。通信手段は、記憶手段に記憶した識別情報を含む同期信号を受信したとき、前記同期信号に同期するタイミングの受信期間を自身に設定する。
【００１５】
ここで、前記通信手段は、時間的に連続するスキャン動作を行うことによって前記同期信号を受信したとき、前記同期信号に同期するタイミングの受信期間を自身に設定するように構成してもよい。
また、前記通信手段は、所定周期で複数回スキャン動作を行うことによって前記同期信号を受信したとき、前記同期信号に同期するタイミングの受信期間を自身に設定するように構成してもよい。
【００１６】
また、前記記憶手段には送信用データが記憶されて成り、前記通信手段は、前記受信期間において受信したデータ要求信号に応答して、前記記憶手段に記憶したデータを送信するように構成してもよい。
また、前記通信手段は、データ送信完了後に前記データ送信完了信号を送信し、確認信号を受信した後に、前記同期信号に同期する前記受信期間を自身に設定するように構成してもよい。
【００１７】
【発明の実施の形態】
図１は、本発明の実施の形態に係るデータ伝送システムのブロック図で、携帯型の生体情報処理装置１０１から、コンピュータによって構成された情報処理装置（ＰＣ）１０９に無線で生体情報等のデータを伝送する携帯型生体情報処理システムの例を示している。
尚、図示していないが、生体情報処理装置１０１は、人体に装着して使用される複数の生体情報検出装置が検出した人体の脈拍等の生体データをＴＤＭＡ方式で無線で受信し、該データを情報処理装置１０９に送信するように構成されている。また、生体情報処理装置１０１は所定の場所に設置して使用するように構成することもできるが、使用者の腕等に装着して使用するように構成することも可能であり、この場合、生体情報処理装置１０１は身体装着型通信装置として機能する。
【００１８】
図１において、通信機能を有する第２の電子機器としての生体情報処理装置１０１は、制御部１０２、読み出し専用メモリ（ＲＯＭ）１０３、ランダムアクセスメモリ（ＲＡＭ）１０４、不揮発性メモリ１０５、制御部１０２とともに通信手段を構成する送受信部１０６、アンテナ１０７、表示部１０８を備えている。
制御部１０２は中央処理装置（ＣＰＵ）によって構成されており、ＲＯＭ１０３に予め記憶されたプログラムを実行することによって、複数の生体情報検出装置（図示せず）から受信してＲＡＭ１０４に記憶した生体データを表示部１０８に表示処理したり、送受信部１０６を介してＲＡＭ１０４に記憶した生体データを情報処理装置１０９に送信する等の各種処理を行う。
【００１９】
ＲＡＭ１０４には、複数の生体情報検出装置から受信した生体情報が記憶される。また、不揮発性メモリ１０５には、各生体情報検出装置に予め付与された識別コードや情報処理装置１０９に付与された識別情報が記憶されている。ＲＯＭ１０３、ＲＡＭ１０４及び不揮発性メモリ１０５は記憶手段を構成している。
通信機能を有する第１の電子機器としての情報処理装置１０９は、携帯型あるいは据え置き型のコンピュータによって構成されており、通信手段としての送受信部１１０及びアンテナ１１１を備えている。
情報処理装置１０９は、アンテナ１１１及び送受信部１１０を介して、生体情報処理装置１０１から、ＲＡＭ１０４に記憶した生体情報検出装置の送信用データである生体データを受信し、該生体データの表示処理、比較処理等の各種処理を行う。
【００２０】
図２は、図１に示した携帯型生体情報処理システムの第１の実施の形態に係る信号伝送タイミングを示す図で、生体情報処理装置１０１と情報処理装置１０９が通信同期を取る際の処理を示すタイミング図である。
図２において、情報処理装置１０９は時刻Ｔ２１において、データ送受信用のアプリケーションソフトウェアを起動すると、予め定めた所定周期Ｘ秒（例えば１秒）で同期信号（ｉｄｌｅ）の送信を開始する。前記同期信号は、情報処理装置１０９に固有の識別コードの情報を含みと共に同期信号である旨の情報を含む信号である。
【００２１】
時刻Ｔ２２において、生体情報処理装置１０１の送受信部１０６は、時間的に連続するスキャン動作（ＰＣスキャン）を行うことによって前記同期信号を受信すると、前記同期信号に同期するタイミングの受信期間を自身に設定する。送受信部１０６は、前記受信期間の周期として、前記同期信号と同一周期のＸ秒に設定する。これにより、前記同期信号と前記受信期間は同期し、送受信部１０６は、各受信期間において、情報処理装置１０９からの前記同期信号を受信することになる。
【００２２】
図３は、図１に示した携帯型生体情報処理システムの第２の実施の形態に係る信号伝送タイミングを示す図で、生体情報処理装置１０１と情報処理装置１０９が通信同期を取る際の処理を示すタイミング図である。
図３において、情報処理装置１０９は時刻Ｔ３１において、データ送受信用のアプリケーションソフトウェアを起動すると、予め定めた所定周期Ｘ秒（例えば１秒）で同期信号（ｉｄｌｅ）の送信を開始する。前記同期信号は、情報処理装置１０９に固有の識別コードの情報を含みと共に同期信号である旨の情報を含む信号である。
時刻Ｔ３２において、生体情報処理装置１０１の送受信部１０６は、所定周期で複数回（本実施の形態ではスキャンタイミングＰ１〜Ｐ５の５回）スキャン動作（ＰＣスキャン）を行うことによって前記同期信号を受信すると、前記同期信号に同期するタイミングの受信期間を自身に設定する。
【００２３】
このとき、スキャンタイミングＰ５が前記同期信号のどの位置を検出したのか不明であるため、送受信部１０６は、前記同期信号が存在する可能性のある時点から同期信号が終了するまでの最大の期間Ｙ秒を同期期間として自身に設定する。即ち、送受信部１０６は、先ず、前記同期信号を検出した際のスキャンタイミングＰ５に、前記同期信号の周期Ｘ秒からスキャンタイミングの周期（Ｐ５−Ｐ４）を差し引いた時刻である時刻Ｔ３３から全奇異同期信号が終了するまでの時間Ｙ秒を受信期間として設定する。送受信部１０６は、その後の周期において、時刻Ｔ３４から前記同期信号と同一時間幅で前記同期信号に同期する周期の受信期間を設定する。これにより、送受信部１０６は、前記同期信号に同期する受信期間を自身に設定することができ、各受信期間において、情報処理装置１０９からの前記同期信号を受信することになる。
【００２４】
図４は、図１に示した携帯型生体情報処理システムの信号伝送タイミングを示す図で、生体情報処理装置１０１と情報処理装置１０９がデータ伝送を行う際の処理を示すタイミング図である。
図４において、先ず初期状態として、生体情報処理装置１０１と情報処理装置１０９は同期状態にあるものとする。即ち、情報処理装置１０９は予め定めた所定周期Ｘ秒で同期信号（ｉｄｌｅ）を無線送信しており、その一方、生体情報処理装置１０１は前記同期信号に同期するタイミングの受信期間を有しているものとする。
【００２５】
この状態で、時刻Ｔ４１において、情報処理装置１０９を操作することによって、情報処理装置１０９が送受信部１１０からデータ要求信号（ＡＳＫ）を生体情報処理装置１０１に送信する。
生体情報処理装置１０１は時刻Ｔ４１から始まる受信期間において、送受信部１０６によって前記データ要求信号を受信すると、時刻Ｔ４２において、送受信部１０６は、情報処理装置１０９に対してデータ送信を開始する。送受信部１０６は、送信するデータを所定長毎（ｌｏｇ１、ｌｏｇ２、ｌｏｇ３）に分割して送信する。
【００２６】
このとき、情報処理装置１０９は、前記各所定長のデータを受信する毎に確認信号（ＡＣＫ１、ＡＣＫ２、ＡＣＫ３）を生体情報処理装置１０１に無線送信し、生体情報処理装置１０１は前記確認信号を受信することによって前回送信したデータが情報処理装置１０９で正常にされたと判断し、次の所定長データを送信するように動作する。
時刻Ｔ４３において、生体情報処理装置１０１は送受信部１０６から、全てのデータ送信完了後にデータ送信完了信号（Ｄａｔａ  Ｅｎｄ）を送信する。
【００２７】
情報処理装置１０９は、生体情報処理装置１０１から前記データ送信完了信号を受信して確認信号（ＡＣＫ）を送信した後に、所定周期で前記同期信号（ｉｄｌｅ）を送信して、再び当初の通信待機状態に戻る。
時刻Ｔ４４において、生体情報処理装置１０１は、前記確認信号を受信した後に、前記同期信号に同期する前記受信期間を自身に設定して情報処理装置１０９と同期し、再び当初の通信待機状態に戻る。
この通信待機状態において、生体情報処理装置１０１から情報処理装置１０９へデータ送信する場合には、再び前記動作が行われる。
【００２８】
以上述べたように、本実施の形態によれば、通信機能を有する情報処理装置１０９及び生体情報処理装置１０１間でデータを伝送するデータ伝送システムにおいて、情報処理装置１０９は所定周期Ｘ秒で同期信号（ｉｄｌｅ）を送信し、生体情報処理装置１０１は、前記各同期信号に同期し前記同期信号と同一周期の受信期間を有し、前記各受信期間に対応する前記同期信号を受信するように構成されており、これにより、データ送信を行わない通信待機状態での同期確立が行われる。
【００２９】
したがって、情報処理装置１０９や生体情報処理装置１０１の消費電力を低減化することが可能になると共に、情報処理装置１０９や生体情報処理装置１０１間でのデータ無線送信を確実に行うことが可能になる。
また、消費電力の低減化が可能なため、通信待機状態を長時間維持でき、使用者が必要なときにはいつでもデータ伝送を行うことが可能になる。
【００３０】
また、生体情報処理装置１０１側に、情報処理装置１０９と通信を行うための特別なモードを設ける必要が無く、構成を簡略化することが可能になる。
また、前記データ伝送システムに適した身体装着型通信装置としての生体情報処理装置１０１を構築することが可能になる。
尚、生体情報処理装置１０１と情報処理装置１０９間で同期をとる方法として、生体情報処理装置１０１の通信手段は、時間的に連続するスキャン動作を行うことによって、情報処理装置１０９が送信する同期信号を受信したとき、前記同期信号に同期するタイミングの受信期間を自身に設定するようにしてもよい。
【００３１】
また、他の同期方法として、前記通信手段は、所定周期で複数回スキャン動作を行うことによって前記同期信号を受信したとき、前記同期信号に同期するタイミングの受信期間を自身に設定するようにしてもよい。
また、データ伝送方法として、情報処理装置１０９は、前記同期信号に同期するタイミングでデータ要求信号（ＡＣＫ）を送信し、生体情報処理装置１０１の記憶手段には送信用データが記憶されて成り、前記通信手段は、前記受信期間において受信したデータ要求信号に応答して、前記記憶手段に記憶したデータを送信するように構成することができる。
【００３２】
また、情報処理装置１０９は、生体情報処理装置１０１からデータ送信完了信号（Ｄａｔａ  Ｅｎｄ）を受信して確認信号（ＡＣＫ）を送信した後に、前記所定周期で前記同期信号を送信し、生体情報処理装置１０１の通信手段は、データ送信完了後に前記データ送信完了信号を送信し、前記確認信号を受信した後に、前記同期信号に同期する前記受信期間を自身に設定するようにしてもよい。
また、本実施の形態では、データ伝送システムとして、生体情報処理装置１０１から情報処理装置１０９に生体データを無線送信する例を説明したが、他の通信機能を有する電子機器間でデータ伝送を行うデータ伝送システムに適用することが可能である。
【００３３】
【発明の効果】
本発明によれば、通信機能を有する複数の電子機器間でデータを送信するデータ伝送システムにおいて、電子機器の消費電力を低減化すると共に、電子機器間でのデータ送信を確実に行うことが可能になる。
また、本発明によれば、前記データ伝送システムに適した身体装着型通信装置を提供することが可能になる。
【図面の簡単な説明】
【図１】本発明の実施の形態に係る携帯型生体情報処理システムのブロック図である。
【図２】本発明の第１の実施の形態に係る携帯型生体情報処理システムの同期動作を示すタイミング図である。
【図３】本発明の第２の実施の形態に係る携帯型生体情報処理システムの同期動作を示すタイミング図である。
【図４】本発明の実施の形態に係る携帯型生体情報処理システムのデータ伝送動作を示すタイミング図である。
【図５】従来の携帯型生体情報処理システムのデータ伝送動作を示すタイミング図である。
【符号の説明】
１０１・・・第２の電子機器としての生体情報処理装置
１０２・・・第２の通信手段を構成する制御部
１０３・・・記憶手段を構成するＲＯＭ
１０４・・・記憶手段を構成するＲＡＭ
１０５・・・記憶手段を構成する不揮発性メモリ
１０６・・・第２の通信手段を構成する送受信部
１０７・・・アンテナ
１０８・・・表示手段としての表示部
１０９・・・第１の電子機器としての情報処理装置
１１０・・・第１の通信手段としての送受信部
１１１・・・アンテナ
【図１】
2004229069.tif 000003
【図２】
2004229069.tif 000004
【図３】
2004229069.tif 000005
【図４】
2004229069.tif 000006
【図５】
2004229069.tif 000007